(57)【要約】【解決手段】刃体を有する剃刀ヘッド１と、剃刀ヘッド１を上下方向Ｚへ首振り可能に支持するホルダとを備えている。剃刀ヘッド１を首振りに伴い圧接するプッシャ１１を設けている。剃刀ヘッド１がプッシャ１１に支えられて静止する初期状態Ｐと、初期状態Ｐから剃刀ヘッド１を上下方向Ｚへ回動させた首振り状態とで、剃刀ヘッド１とプッシャ１１とが互いに当接し得る上側支持部２８，３３と下側支持部２９，３４とを上下方向Ｚへ互いに離間して設けている。プッシャ１１が突出するホルダヘッドの前面に想定した基準面に対しプッシャ１１の上側支持部２８がなす距離をＡとし、基準面に対しプッシャ１１の下側支持部２９がなす距離をＢとした場合、Ａ＜Ｂに設定した。【効果】剃刀ヘッド１のひげ剃り接線面がプッシャ１１の往復動方向Ｘに対しなす角度を大きく設定してひげ剃り接線面の向きが初期状態Ｐで上向きに設定し易くなり、ひげ剃りが行い易くなる。【選択図】図３
2005000303.tif 000002
【特許請求の範囲】
【請求項１】
刃体を有する剃刀ヘッドと、この剃刀ヘッドを上下方向へ首振り可能に支持するホルダとを備え、この剃刀ヘッドをその首振りに伴い圧接するプッシャを設けた首振り式剃刀において、
前記剃刀ヘッドが前記プッシャに支えられて静止する初期状態と、この初期状態から剃刀ヘッドを上下方向へ回動させた首振り状態とで、剃刀ヘッドとプッシャとが互いに当接し得る上側支持部と下側支持部とを上下方向へ互いに離間して設け、
前記プッシャが突出するホルダヘッドの前面に想定した基準面に対し前記プッシャの上側支持部がなす距離をＡとし、この基準面に対し前記プッシャの下側支持部がなす距離をＢとした場合、少なくとも前記初期状態で、Ａ＜Ｂに設定したことを特徴とする首振り式剃刀。
【請求項２】
刃体を有する剃刀ヘッドと、この剃刀ヘッドを上下方向へ首振り可能に支持するホルダとを備え、この剃刀ヘッドをその首振りに伴い圧接するように弾性体により付勢されて往復動し得るプッシャを設けた首振り式剃刀において、
前記剃刀ヘッドが前記プッシャに支えられて静止する初期状態と、この初期状態から剃刀ヘッドを上下方向へ回動させた首振り状態とで、剃刀ヘッドとプッシャとが互いに当接し得る上側支持部と下側支持部とを上下方向へ互いに離間して設け、
前記プッシャで上側支持部と下側支持部とを結ぶ想定平面は、少なくとも前記初期状態で、上方から下方に向うに従い、前記プッシャが突出するホルダヘッドの前面に想定した基準面に対し離間するように、前記プッシャの往復動方向に対し傾斜している
ことを特徴とする首振り式剃刀。
【請求項３】
刃体を有する剃刀ヘッドと、この剃刀ヘッドを上下方向へ首振り可能に支持するホルダとを備え、この剃刀ヘッドをその首振りに伴い圧接するように付勢するプッシャとして、ホルダヘッドから突出する片持ち梁状ばねを設けた首振り式剃刀において、
前記剃刀ヘッドが前記プッシャに支えられて静止する初期状態と、この初期状態から剃刀ヘッドを上下方向へ回動させた首振り状態とで、剃刀ヘッドとプッシャとが互いに当接し得る上側支持部と下側支持部とをプッシャとしての前記片持ち梁状ばねの自由端部で上下方向へ互いに離間して設け、
前記プッシャで上側支持部と下側支持部とを結ぶ想定平面は、少なくとも前記初期状態で、上方から下方に向うに従い、前記プッシャとしての片持ち梁状ばねが突出するホルダヘッドの前面に想定した基準面に対し離間するように、前記片持ち梁状ばねの軸線に対し傾斜している
ことを特徴とする首振り式剃刀。
【請求項４】
前記ホルダに対する剃刀ヘッドの首振り回動中心線は、前記プッシャの上側支持部と下側支持部との間に位置していることを特徴とする請求項１または請求項２または請求項３に記載の首振り式剃刀。
【請求項５】
前記プッシャは前記剃刀ヘッドの刃体の刃先の延設方向に沿った両側に配設され、この両プッシャ間には一方のプッシャの上側支持部及び下側支持部と他方のプッシャの上側支持部及び下側支持部との間の開口部で上下方向へ開放された凹部を形成し、前記剃刀ヘッドに形成した凸部をこの開口部から凹部に嵌め込んで両プッシャ間で挟持したことを特徴とする請求項１から請求項４のうちいずれかの請求項に記載の首振り式剃刀。
【請求項６】
前記両プッシャ間の凹部の開口部において一方のプッシャの上側支持部及び下側支持部と他方のプッシャの上側支持部及び下側支持部とを結ぶ方向の間隔は、ホルダヘッドの前面から離れる方向へ向うほど大きくなっていることを特徴とする請求項５に記載の首振り式剃刀。
【請求項７】
前記剃刀ヘッドには前記プッシャが嵌め込まれる凹部を形成し、刃体の刃先の延設方向に沿った両側でこの凹部に設けた両側部間でこのプッシャを挟持したことを特徴とする請求項１から請求項４のうちいずれかの請求項に記載の首振り式剃刀。
【請求項８】
前記プッシャは、ホルダヘッドの前面から突出する腕部と、この腕部の先端部に設けた受け部とを有し、
この受け部は、腕部の先端部で上方へ突設されてこの腕部の先端部との間で段差部を形成した上側押圧部と、腕部の先端部で下方へ突設されてこの腕部の先端部との間で段差部を形成した下側押圧部とを有し、前記上側支持部はこの上側押圧部に形成され、前記下側支持部はこの下側押圧部に形成されている
ことを特徴とする請求項１から請求項７のうちいずれかの請求項に記載の首振り式剃刀。
【請求項９】
前記受け部の上側押圧部の形態と前記受け部の下側押圧部の形態とが互いに異なることを特徴とする請求項８に記載の首振り式剃刀。
【請求項１０】
前記プッシャにおいて上側支持部と下側支持部とを結ぶ想定平面上に受け面を形成するとともに、前記剃刀ヘッドにおいて上側支持部と下側支持部とを結ぶ想定平面上に受け面を形成し、このプッシャの受け面とこの剃刀ヘッドの受け面とを前記初期状態で互いに面接触可能に相対向させたことを特徴とする請求項１から請求項９のうちいずれかの請求項に記載の首振り式剃刀。
【請求項１１】
前記初期状態で前記プッシャの受け面と剃刀ヘッドの受け面とが互いに面接触し得る面積は、１〜２０ｍｍ２であることを特徴とする請求項１０に記載の首振り式剃刀。
【請求項１２】
前記初期状態で前記プッシャの受け面と剃刀ヘッドの受け面とが互いに面接触し得る面積よりも、前記首振り状態で前記プッシャの受け面と剃刀ヘッドの受け面とが互いに面接触し得る面積が減少することを特徴とする請求項１０または請求項１１に記載の首振り式剃刀。
【請求項１３】
前記プッシャの上側支持部と下側支持部とのうち少なくとも一方のものは、丸みを持たせた角部に形成されていることを特徴とする請求項１から請求項１２のうちいずれかの請求項に記載の首振り式剃刀。
【請求項１４】
前記プッシャにおいて上側支持部と下側支持部とを結ぶ受け面を形成するとともに、前記剃刀ヘッドにおいて上側支持部と下側支持部とを結ぶ受け面を形成し、このプッシャの受け面とこの剃刀ヘッドの受け面との間には前記初期状態で上側支持部と下側支持部との間にわたり間隙を生じることを特徴とする請求項１から請求項９のうちいずれかの請求項に記載の首振り式剃刀。
【請求項１５】
前記剃刀ヘッドは上下方向のうち上向き及び下向きへそれぞれ前記初期状態から首振り可能にホルダに対し支持されていることを特徴とする請求項１から請求項１４のうちいずれかの請求項に記載の首振り式剃刀。
【発明の詳細な説明】
【０００１】
【発明の属する技術分野】
本発明は、ホルダに対し剃刀ヘッドを首振り可能に支持する首振り式剃刀において、この剃刀ヘッドをその首振りに伴い圧接するプッシャの形状の改良に関するものである。
【０００２】
【従来の技術】
下記特許文献１においては、その図面に示すように、プッシャ６の圧接部２７が剃刀ヘッド１の受圧部１１を圧接するとともに、プッシャ６の両腕部２６が剃刀ヘッド１の受圧部１１の両側を挟む。
【０００３】
下記特許文献２においては、その図面に示すように、両板ばね部９の圧接部９ａが刃体組付けヘッド２の受圧部１０を圧接する。
【０００４】
【特許文献１】
特開２００３―９３７６７号公報
【特許文献２】
特許３０１４３２０号公報
【０００５】
【発明が解決しようとする課題】
一般に、プッシャの延設方向（特許文献１のプッシャ６の往復動方向Ｘ、特許文献２の両板ばね部９の軸線方向）がホルダ（特許文献１のホルダ２、特許文献２のホルダ１）の延設方向に対し交差する角度は、鈍角である方がひげ剃り時にホルダを把持した指が顔面に接触しにくくなるため使い易い。さらに、剃刀ヘッド（特許文献１の剃刀ヘッド１、特許文献２の刃体組付けヘッド２）を顔面に当てがった場合、剃刀ヘッドの表側で刃体（特許文献１の刃体９、特許文献２の刃体組付けヘッド２の刃体）の刃先を通るひげ剃り接線面の向きは、少し上向きの方が刃先を使用者が上方から見易くなるため使い易い。
【０００６】
しかし、上記の特許文献１ではひげ剃り接線面の向きが中立状態で下向きになっている。また、上記の特許文献２ではひげ剃り接線面の向きが明確ではないが同様である。それは下記のようにプッシャの形態が原因であると考えられる。
【０００７】
上記の特許文献１ではプッシャ６の圧接部２７の上下両支点部２７ｂを結ぶ想定平面が中立状態でプッシャ６の往復動方向Ｘに対し直交し、また、上記特許文献２では両板ばね部９の圧接部９ａにある上下両支持部を結ぶ想定平面が中立状態で両板ばね部９の軸線に対し下向きに傾斜している。それらの想定平面に合わせて剃刀ヘッドの裏側（特許文献１の受圧部１１、特許文献２の受圧部１０）の形状を決めるとともに、ひげ剃り接線面の向きを少し上向きにするには、刃体の厚み方向をプッシャの延設方向に対しかなり上向きに傾斜させねばならない。ところが、剃刀ヘッドの刃先側で剃刀ヘッドの表側と裏側との間の厚みを大きくする必要があり、剃刀ヘッドを薄くする場合に好ましくない問題が生じる。ちなみに、ホルダを顔面に接近させれば、ひげ剃り接線面の向きを少し上向きにすることはできるが、ひげ剃り時にホルダを把持した指が顔面に接触し易くなって使いにくくなる。
【０００８】
この発明は、従来のものと比較して、剃刀ヘッドのひげ剃り接線面の向きを上向きにし易いように形状を改良したプッシャを提供することを目的としている。ここに、「上向きにし易い」とは、剃刀ヘッドのひげ剃り接線面が実際に上方を向いていることを意味せず、本発明の首振り式剃刀と、プッシャを除いて同一条件で設定された従来の首振り式剃刀とを互いに比較した場合、ひげ剃り接線面を上方へ向かせ易いことを意味する。
【０００９】
【課題を解決するための手段及び発明の効果】
後記実施形態の図面（図１〜４に示す第１実施形態、図５に示す第２実施形態、図６に示す第１，２実施形態の別例１、図７に示す第１，２実施形態の別例２）の符号を援用して本発明を説明する。
【００１０】
＊  請求項１〜３の発明
請求項１の発明（第１，２実施形態及びその別例１，２に対応）にかかる首振り式剃刀は、下記のように構成されている。
【００１１】
この首振り式剃刀においては、刃体（３）を有する剃刀ヘッド（１）と、この剃刀ヘッド（１）を上下方向（Ｚ）へ首振り可能に支持するホルダ（２）とを備え、この剃刀ヘッド（１）をその首振りに伴い圧接するプッシャ（１１）を設けている。前記剃刀ヘッド（１）が前記プッシャ（１１）に支えられて静止する初期状態（Ｐ）と、この初期状態（Ｐ）から剃刀ヘッド（１）を上下方向Ｚ（上向きのみまたは下向きのみまたは上下両向き）へ回動させた首振り状態（Ｑ，Ｒ）とで、剃刀ヘッド（１）とプッシャ（１１）とが互いに当接し得る上側支持部（２８，３３）と下側支持部（２９，３４）とを上下方向（Ｚ）へ互いに離間して設けている。前記プッシャ（１１）が突出するホルダヘッド（７）の前面（１３ａ）に想定した基準面Ｗ（前面１３ａの主体部分を通る想定平面であって後記プッシャ１１の往復動方向Ｘや後記プッシャ１１としての片持ち梁状ばね３６の軸線３６ａに対し直交する想定平面）に対し前記プッシャ（１１）の上側支持部（２８）がなす距離をＡとし、この基準面（Ｗ）に対し前記プッシャ（１１）の下側支持部（２９）がなす距離をＢとした場合、前記初期状態（Ｐ）と首振り状態（Ｑ，Ｒ）とのうち少なくとも初期状態（Ｐ）で、Ａ＜Ｂに設定している。
【００１２】
請求項２の発明（第１実施形態及びその別例１，２に対応）にかかる首振り式剃刀は、下記のように構成されている。
この首振り式剃刀においては、刃体（３）を有する剃刀ヘッド（１）と、この剃刀ヘッド（１）を上下方向（Ｚ）へ首振り可能に支持するホルダ（２）とを備え、この剃刀ヘッド（１）をその首振りに伴い圧接するように弾性体（１２）により付勢されて往復動し得るプッシャ（１１）を設けている。前記剃刀ヘッド（１）が前記プッシャ（１１）に支えられて静止する初期状態（Ｐ）と、この初期状態（Ｐ）から剃刀ヘッド（１）を上下方向（Ｚ）へ回動させた首振り状態（Ｑ，Ｒ）とで、剃刀ヘッド（１）とプッシャ（１１）とが互いに当接し得る上側支持部（２８，３３）と下側支持部（２９，３４）とを上下方向（Ｚ）へ互いに離間して設けている。前記プッシャ（１１）で上側支持部（２８）と下側支持部（２９）とを結ぶ想定平面（Ｍ）は、前記初期状態（Ｐ）と首振り状態（Ｑ，Ｒ）とのうち少なくとも初期状態（Ｐ）で、上方から下方に向うに従い、前記プッシャ（１１）が突出するホルダヘッド（７）の前面（１３ａ）に想定した基準面（Ｗ）に対し離間するように、前記プッシャ（１１）の往復動方向（Ｘ）に対し傾斜している。
【００１３】
請求項３の発明（第２実施形態及びその別例１，２に対応）にかかる首振り式剃刀は、下記のように構成されている。
この首振り式剃刀においては、刃体（３）を有する剃刀ヘッド（１）と、この剃刀ヘッド（１）を上下方向（Ｚ）へ首振り可能に支持するホルダ（２）とを備え、この剃刀ヘッド（１）をその首振りに伴い圧接するように付勢するプッシャ（１１）として、ホルダヘッド（７）から突出する片持ち梁状ばね（３６）を設けている。前記剃刀ヘッド（１）が前記プッシャ（１１）に支えられて静止する初期状態（Ｐ）と、この初期状態（Ｐ）から剃刀ヘッド（１）を上下方向（Ｚ）へ回動させた首振り状態（Ｑ，Ｒ）とで、剃刀ヘッド（１）とプッシャ（１１）とが互いに当接し得る上側支持部（２８，３３）と下側支持部（２９，３４）とをプッシャ（１１）としての前記片持ち梁状ばね（３６）の自由端部で上下方向（Ｚ）へ互いに離間して設けている。前記プッシャ（１１）で上側支持部（２８）と下側支持部（２９）とを結ぶ想定平面（Ｍ）は、前記初期状態（Ｐ）と首振り状態（Ｑ，Ｒ）とのうち少なくとも初期状態（Ｐ）で、上方から下方に向うに従い、前記プッシャ（１１）としての片持ち梁状ばね（３６）が突出するホルダヘッド（７）の前面（１３ａ）に想定した基準面（Ｗ）に対し離間するように、前記片持ち梁状ばね（３６）の軸線（３６ａ）に対し傾斜している。
【００１４】
請求項１〜３の発明では、プッシャ（１１）で上側支持部（２８）と下側支持部（２９）とを結ぶ想定平面（Ｍ）が上向き形状になっているため、剃刀ヘッド（１）で上側支持部（３３）と下側支持部（３４）とを結ぶ想定平面（Ｎ）も、初期状態（Ｐ）でこのプッシャ（１１）の想定平面（Ｍ）に合わせて上向き形状にすることができる。そのため、剃刀ヘッド（１）の厚みを大きくすることなく刃体（３）の厚み方向もこの剃刀ヘッド（１）の想定平面（Ｎ）に合わせて上向きにし易くなる。従って、剃刀ヘッド（１）のひげ剃り接線面（Ｈ）がプッシャ（１１）の往復動方向（Ｘ）や片持ち梁状ばね（３６）の軸線（３６ａ）に対しなす角度（α）を大きく設定してそのひげ剃り接線面（Ｈ）の向きが初期状態（Ｐ）で上向きに設定し易くなり、ひげ剃りが行い易くなる。
【００１５】
＊  請求項４の発明（第１，２実施形態及びその別例１，２に対応）
請求項１または請求項２または請求項３の発明を前提とする請求項４の発明において、前記ホルダ（２）に対する剃刀ヘッド（１）の首振り回動中心線（Ｃ）は、前記プッシャ（１１）の上側支持部（２８）と下側支持部（２９）との間に位置している。すなわち、プッシャ（１１）の往復動方向（Ｘ）に平行、または、プッシャ（１１）としての片持ち梁状ばね（３６）の軸線（３６ａ）に平行な想定直線（ＳＵ，ＳＤ）であって、上側支持部（２８）を通る上側想定直線（ＳＵ）と、下側支持部（２９）を通る下側想定直線（ＳＤ）との間の想定範囲（Ｓ）内に前記首振り回動中心線（Ｃ）が位置することを意味する。
【００１６】
請求項４の発明では、プッシャ（１１）の上側支持部（２８）及び下側支持部（２９）が共に剃刀ヘッド（１）の首振り回動中心線（Ｃ）に対し近い位置に設定することができ、初期状態（Ｐ）及び首振り状態（Ｑ，Ｒ）で剃刀ヘッド（１）を安定させることができる。
【００１７】
＊  請求項５の発明（第１，２実施形態及びその別例１，２に対応）
請求項１から請求項４のうちいずれかの請求項の発明を前提とする請求項５の発明は、下記のように構成されている。
【００１８】
前記プッシャ（１１）は前記剃刀ヘッド（１）の刃体（３）の刃先（４）の延設方向（Ｙ）に沿った両側に配設されている。この両プッシャ（１１）間には一方のプッシャ（１１）の上側支持部（２８）及び下側支持部（２９）と他方のプッシャ（１１）の上側支持部（２８）及び下側支持部（２９）との間の開口部（２４）で上下方向（Ｚ）へ開放された凹部（２３）を形成している。前記剃刀ヘッド（１）に形成した凸部（３２）をこの開口部（２４）から凹部（２３）に嵌め込んで両プッシャ（１１）間で挟持している。
【００１９】
請求項５の発明では、両プッシャ（１１）により剃刀ヘッド（１）の両側を支えているので、剃刀ヘッド（１）を安定させることができる。また、前記両プッシャ（１１）間の凹部（２３）と剃刀ヘッド（１）の凸部（３２）との係合により、プッシャ（１１）に対する剃刀ヘッド（１）の横振れを防止して剃刀ヘッド（１）を安定させることができる。
【００２０】
＊  請求項６の発明（第１，２実施形態及びその別例１，２に対応）
請求項５の発明を前提とする請求項６の発明において、前記両プッシャ（１１）間の凹部（２３）の開口部（２４）において一方のプッシャ（１１）の上側支持部（２８）及び下側支持部（２９）と他方のプッシャ（１１）の上側支持部（２８）及び下側支持部（２９）とを結ぶ方向（Ｙ）の間隔（２５ａ）は、ホルダヘッド（７）の前面（１３ａ）から離れる方向（Ｘ）へ向うほど大きくなっている。
【００２１】
請求項６の発明では、前記両プッシャ（１１）間の凹部（２３）に対し剃刀ヘッド（１）の凸部（３２）を嵌め込み易い。
＊  請求項７の発明（第１，２実施形態の別例２に対応）
請求項１から請求項４のうちいずれかの請求項の発明を前提とする請求項７の発明において、前記剃刀ヘッド（１）には前記プッシャ（１１）が嵌め込まれる凹部（３７）を形成し、刃体（３）の刃先（４）の延設方向（Ｙ）に沿った両側でこの凹部（３７）に設けた両側部（３７ａ）間でこのプッシャ（１１）を挟持している。
【００２２】
請求項７の発明では、剃刀ヘッド（１）の凹部（３７）に対するプッシャ（１１）の係合により、プッシャ（１１）に対する剃刀ヘッド（１）の横振れを防止して剃刀ヘッド（１）を安定させることができる。
【００２３】
＊  請求項８の発明（第１，２実施形態及びその別例１，２に対応）
請求項１から請求項７のうちいずれかの請求項の発明を前提とする請求項８の発明は、下記のように構成されている。
【００２４】
前記プッシャ（１１）は、ホルダヘッド（７）の前面（１３ａ）から突出する腕部（１６）と、この腕部（１６）の先端部に設けた受け部（１７）とを有している。この受け部（１７）は、腕部（１６）の先端部で上方へ突設されてこの腕部（１６）の先端部との間で段差部（２１）を形成した上側押圧部（１９）と、腕部（１６）の先端部で下方へ突設されてこの腕部（１６）の先端部との間で段差部（２２）を形成した下側押圧部（２０）とを有している。前記上側支持部（２８）はこの上側押圧部（１９）に形成されている。前記下側支持部（２９）はこの下側押圧部（２０）に形成されている。
【００２５】
請求項８の発明では、プッシャ（１１）をコンパクトにするために腕部（１６）を細くしても、受け部（１７）で上側押圧部（２８）と下側支持部（２９）の間隔（Ｌ）を大きく設定して初期状態（Ｐ）で剃刀ヘッド（１）を安定させることができる。
【００２６】
＊  請求項９の発明（第１，２実施形態及びその別例１，２に対応）
請求項８の発明を前提とする請求項９の発明は下記のように構成されている。
前記受け部（１７）の上側押圧部（１９）の形態と前記受け部（１７）の下側押圧部（２０）の形態とが互いに異なる。例えば、基準面（Ｗ）に対し上側押圧部（１９）の段差部（２１）がなす距離（２１ａ）と、基準面（Ｗ）に対し下側押圧部（２０）の段差部（２２）がなす距離（２２ａ）とが互いに等しく、また、上側押圧部（１９）の段差部（２１）と下側押圧部（２０）の段差部（２２）とを結ぶ想定平面（Ｅ）に対し上側押圧部（１９）の上側支持部（２８）がなす距離（２８ａ）よりも、この想定平面（Ｅ）に対し下側押圧部（２０）の下側支持部（２９）がなす距離（２９ａ）を大きくしている。
【００２７】
請求項９の発明では、プッシャ（１１）において上側押圧部（１９）と下側押圧部（２０）とを区別し易くなり、ホルダヘッド（７）に対するプッシャ（１１）の組み付け向きが分かり易くなるとともに、プッシャ（１１）に対する剃刀ヘッド（１）の支持を行い易い。
【００２８】
＊  請求項１０〜１１の発明
請求項１から請求項９のうちいずれかの請求項の発明を前提とする請求項１０の発明は、第１，２実施形態及びその別例１，２に対応し、下記のように構成されている。
【００２９】
前記プッシャ（１１）において上側支持部（２８）と下側支持部（２９）とを結ぶ想定平面（Ｍ）上に受け面（３０）を形成するとともに、前記剃刀ヘッド（１）において上側支持部（３３）と下側支持部（３４）とを結ぶ想定平面（Ｎ）上に受け面（３５）を形成している。このプッシャ（１１）の受け面（３０）とこの剃刀ヘッド（１）の受け面（３５）とを前記初期状態（Ｐ）で互いに面接触可能に相対向させている。例えば、請求項１０の発明を前提とする請求項１１の発明においては、前記初期状態（Ｐ）で前記プッシャ（１１）の受け面（３０）と剃刀ヘッド（１）の受け面（３５）とが互いに面接触し得る面積は、１〜２０ｍｍ２である。
【００３０】
請求項１０〜１１の発明では、両受け面（３０，３５）の面接触により、初期状態（Ｐ）で剃刀ヘッド（１）を安定させることができる。
＊  請求項１２の発明（第１，２実施形態及びその別例１，２に対応）
請求項１０または請求項１１の発明を前提とする請求項１２の発明においては、前記初期状態（Ｐ）で前記プッシャ（１１）の受け面（３０）と剃刀ヘッド（１）の受け面（３５）とが互いに面接触し得る面積よりも、前記首振り状態（Ｑ，Ｒ）で前記プッシャ（１１）の受け面（３０）と剃刀ヘッド（１）の受け面（３５）とが互いに面接触し得る面積が減少する。
【００３１】
請求項１２の発明では、剃刀ヘッド（１）の初期状態（Ｐ）よりも首振り状態（Ｑ，Ｒ）で両受け面（３０，３５）間の接触面積が減少するので、首振り時に両受け面（３０，３５）間の摩擦抵抗が減少し、円滑な首振り動作を行うことができる。
【００３２】
＊  請求項１３の発明（第１，２実施形態及びその別例１，２に対応）
請求項１から請求項１２のうちいずれかの請求項の発明を前提とする請求項１３の発明において、プッシャ（１１）の上側支持部（２８）と下側支持部（２９）とのうち少なくとも一方のものは、丸みを持たせた角部（２６，２７）に形成されている。
【００３３】
請求項１３の発明では、首振り動作時、ホルダヘッド（７）に対する剃刀ヘッド（１）の回動が滑らかになる。
＊  請求項１４の発明（第１，２実施形態の別例１に対応）
請求項１から請求項９のうちいずれかの請求項の発明を前提とする請求項１４の発明は、下記のように構成されている。
【００３４】
前記プッシャ（１１）において上側支持部（２８）と下側支持部（２９）とを結ぶ受け面（３０）を形成するとともに、前記剃刀ヘッド（１）において上側支持部（３３）と下側支持部（３４）とを結ぶ受け面（３５）を形成している。このプッシャ（１１）の受け面（３０）とこの剃刀ヘッド（１）の受け面（３５）との間には前記初期状態（Ｐ）で上側支持部（２８，３３）と下側支持部（２９，３４）との間にわたり間隙（Ｇ）を生じる。
【００３５】
請求項１４の発明では、上側支持部（２８，３３）と下側支持部（２９，３４）とによる二箇所の支持により、初期状態（Ｐ）で剃刀ヘッド（１）を安定させることができる。
【００３６】
＊  請求項１５の発明（第１，２実施形態及びその別例１，２に対応）
請求項１から請求項１４のうちいずれかの請求項の発明を前提とする請求項１５の発明において、剃刀ヘッド（１）は、上下方向（Ｚ）のうち上向き及び下向きへそれぞれ前記初期状態（Ｐ）から首振り可能にホルダ（２）に対し支持されている。
【００３７】
請求項１５の発明では、初期状態（Ｐ）から上向き及び下向きへそれぞれ首振り可能な剃刀ヘッド（１）において、請求項１から請求項１４のうちいずれかの請求項の発明の効果を発揮させることができる。
【００３８】
【発明の実施の形態】
〔第１実施形態〕
まず、本発明の第１実施形態にかかる首振り式剃刀について図１〜４を参照して説明する。
【００３９】
＜首振り式剃刀の概要＞
この首振り式剃刀は、図１（ａ）に示すように、剃刀ヘッド１と、この剃刀ヘッド１を上下方向Ｚへ首振り可能に支持するホルダ２とを備えている。
【００４０】
図２に示すように、この剃刀ヘッド１の表側には複数の刃体３が組み込まれている。この刃体３は、左右方向Ｙへ延びる刃先４と、この刃先４の対辺側になる背縁５とを有している。この刃先４が下方へ向き、この背縁５が上方へ向く。この剃刀ヘッド１の表側には各刃体３の刃先４を通るひげ剃り接線面Ｈが設けられている。
【００４１】
前記ホルダ２は、把持部６と、この把持部６の上端部で一体的に設けられたホルダヘッド７とを備えている。このホルダヘッド７には左右両支持アーム８と操作部９と往復動部材１０の左右両プッシャ１１と弾性体１２（圧縮コイルばね）とが組み込まれている。この操作部９はホルダヘッド７に対し前後方向Ｘへ往復移動し得るように支持されている。前記往復動部材１０は操作部９の前側でホルダヘッド７及び操作部９に対し前後方向Ｘへ往復移動し得るように支持されている。前記ホルダ２で把持部６の延設方向６ａが往復動部材１０の往復動方向（前後方向Ｘ）に対しなす角度θは鈍角になっている。前記弾性体１２は前記往復動部材１０と操作部９との間で支持されている。この弾性体１２の付勢力により、往復動部材１０と操作部９とが互いに離間し、往復動部材１０の左右両プッシャ１１がホルダヘッド７の前端部１３から前方へ突出して静止しているとともに、操作部９が後退して静止している。前記左右両支持アーム８は操作部９の左右両側で左右両支軸部１４により回動可能に支持され、この左右両支持アーム８の外端部８ａが左右両プッシャ１１の左右両側でホルダヘッド７の前端部１３から前方へ突出している。
【００４２】
前記操作部９を前進位置にすると、左右両支持アーム８の外端部８ａは互いに開く。この操作部９を後退位置にすると、左右両支持アーム８の外端部８ａは互いに閉じる。前記左右両プッシャ１１を前記剃刀ヘッド１の裏側に圧接した状態で左右両支持アーム８を互いに閉じると、それらの外端部８ａにより剃刀ヘッド１が左右両回動支持部１５で回動可能に支持されて首振り可能になる。左右両支持アーム８を互いに開くと、それらの外端部８ａから左右両回動支持部１５が離脱されて剃刀ヘッド１がホルダヘッド７から分離される。
【００４３】
＜前記往復動部材１０の左右両プッシャ１１の詳細＞
この左右両プッシャ１１は、前記往復動部材１０の一部として一体成形され、前記剃刀ヘッド１の各刃体３の刃先４の延設方向（左右方向Ｙ）に沿った両側に配設されている。ちなみに、この往復動部材１０は、ガラス繊維を適宜割合で含有するナイロンにより成形されている。この左右両プッシャ１１は、図１（ｂ）及び図３に示すように、ホルダヘッド７の前端部１３の前面１３ａから突出する腕部１６と、この腕部１６の先端部に形成された受け部１７と、この両腕部１６間に形成された連結部１８とを有している。この受け部１７は、腕部１６の先端部で上方へ突設された上側押圧部１９と、腕部１６の先端部で下方へ突設された下側押圧部２０とを有し、この上側押圧部１９及び下側押圧部２０とこの腕部１６の先端部との間でそれぞれ段差部２１，２２が形成されている。
【００４４】
前記左右両受け部１７と左右両腕部１６と連結部１８との間にはそれらの受け部１７間の開口部２４で上下方向Ｚへ開放された凹部２３が形成されている。この開口部２４で左右両受け部１７には面取り部２５が相対向して形成されている。この左右両面取り部２５は、左右方向Ｙの間隔２５ａが前記ホルダヘッド７の前端部１３の前面１３ａから離れる前方へ向うほど大きくなるように傾斜している。
【００４５】
前記左右両受け部１７の上側押圧部１９の上端部及び下側押圧部２０の下端部にはそれぞれ丸みを持たせた角部２６，２７が形成され、上側角部２６に上側支持部２８が形成されているとともに、下側角部２７に下側支持部２９が形成されている。この上側支持部２８と下側支持部２９とは所定間隔Ｌをあけて上下方向Ｚで互いに離間し、この上側支持部２８と下側支持部２９とを結ぶ想定平面Ｍ上には受け面３０が形成されている。
【００４６】
前記ホルダヘッド７の前端部１３の前面１３ａを通る上下方向Ｚの基準面Ｗを想定した場合、前記左右両プッシャ１１の受け面３０は、上方から下方に向うに従いこの基準面Ｗに対し離間するようにプッシャ１１の往復動方向（前後方向Ｘ）に対し傾斜している。すなわち、この基準面Ｗに対し前記上側支持部２８がなす距離をＡとし、この基準面Ｗに対し前記下側支持部２９がなす距離をＢとした場合、Ａ＜Ｂに設定されている。
【００４７】
前記受け部１７の上側押圧部１９の形態と前記受け部１７の下側押圧部２０の形態とは互いに異なっている。すなわち、前記基準面Ｗに対し上側段差部２１がなす距離２１ａと、基準面Ｗに対し下側段差部２２がなす距離２２ａとは互いに等しいが、上側段差部２１と下側段差部２２とを結ぶ想定平面Ｅに対し上側支持部２８がなす距離２８ａよりも、想定平面Ｅに対し下側支持部２９がなす距離２９ａが大きくなっている。
【００４８】
＜前記剃刀ヘッド１の裏側＞
この裏側に組み込まれた刃台３１には、前記左右両プッシャ１１間の凹部２３に面して凸部３２が形成されているとともに、この凸部３２の左右両側でそれぞれ上側支持部３３と下側支持部３４とが形成されている。この上側支持部３３と下側支持部３４とは所定間隔Ｌをあけて上下方向Ｚで互いに離間し、この上側支持部３３と下側支持部３４とを結ぶ想定平面Ｎ上には受け面３５が形成されている。
【００４９】
＜図２，３に示す前記剃刀ヘッド１の初期状態Ｐ＞
この初期状態Ｐ（中立状態）で、剃刀ヘッド１は、左右両支持アーム８により上下方向Ｚへ回動可能に支持されているとともに、左右両プッシャ１１により圧接されて静止している。この剃刀ヘッド１の凸部３２は、左右両プッシャ１１で開口部２４から凹部２３に嵌め込まれて左右両受け部１７間及び左右両腕部１６間で挟持される。この剃刀ヘッド１の左右両受け面３５はこの左右両プッシャ１１の受け面３０に接触し、これらの受け面３０，３５の上側支持部２８，３３が互いに当接するとともに、これらの受け面３０，３５の下側支持部２９，３４が互いに当接する。そのため、剃刀ヘッド１の左右両受け面３５も、上方から下方に向うに従い前記基準面Ｗに対し離間するようにプッシャ１１の往復動方向（前後方向Ｘ）に対し傾斜し、基準面Ｗに対し前記上側支持部３３がなす距離をＡとし、基準面Ｗに対し前記下側支持部３４がなす距離をＢとした場合、Ａ＜Ｂに設定される。従って、剃刀ヘッド１のひげ剃り接線面Ｈも、これらの左右両受け面３０，３５に合わせて傾斜し、そのひげ剃り接線面Ｈがプッシャ１１の往復動方向（前後方向Ｘ）に対しなす角度αが従来のものと比較して大きくなるように上向きに設定し易くなる。この上側支持部２８，３３及び下側支持部２９，３４を含む両受け面３０，３５は正方形や長方形などの平面ばかりではなく線状に細く延びる面も含み、両受け面３０，３５間での接触面積については１〜２０ｍｍ２になっている。なお、図示しないが、両受け面３０，３５のうち、一方が凹面であり、他方がこの凹面に面接触する凸面であってもよい。前記ホルダ２に対する剃刀ヘッド１の首振り回動中心線Ｃは、左右両プッシャ１１の上側支持部２８と下側支持部２９との間に位置し、左右両プッシャ１１の往復動方向（前後方向Ｘ）に平行で且つ上側支持部２８を通る上側想定直線ＳＵと下側支持部２９を通る下側想定直線ＳＤと間の想定範囲Ｓ内に位置している。
【００５０】
＜図４（ａ）に示す前記剃刀ヘッド１の上向き首振り状態Ｑ＞
ひげ剃り時に剃刀ヘッド１が押されて首振り回動中心線Ｃを中心に上向きに回動すると、剃刀ヘッド１の左右両受け面３５の上側支持部３３側が左右両プッシャ１１の受け面３０の上側支持部２８側に対し常に接触して支えられながら、これらの受け面３０，３５の下側支持部２９，３４側が互いに離間する。そのため、この上向き首振り状態Ｑでは、前記初期状態Ｐと比較して、これらの受け面３０，３５間での接触面積が減少する。
【００５１】
＜図４（ｂ）に示す前記剃刀ヘッド１の下向き首振り状態Ｒ＞
ひげ剃り時に剃刀ヘッド１が押されて首振り回動中心線Ｃを中心に下向きに回動すると、剃刀ヘッド１の左右両受け面３５の下側支持部３４側が左右両プッシャ１１の受け面３０の下側支持部２９側に対し常に接触して支えられながら、これらの受け面３０，３５の上側支持部２８，３３側が互いに離間する。そのため、この下向き首振り状態Ｒでは、前記初期状態Ｐと比較して、これらの受け面３０，３５間での接触面積が減少する。
【００５２】
〔第２実施形態〕
次に、本発明の第２実施形態にかかる首振り式剃刀について第１実施形態との相違点を中心に図５を参照して説明する。
【００５３】
左右両プッシャ１１として、ホルダヘッド７の前端部１３の前面１３ａから突出する片持ち梁状ばね３６が設けられている。この左右両片持ち梁状ばね３６は第１実施形態の左右両プッシャ１１（図３，４参照）と同一形態になっている。なお、第２実施形態は首振り回動中心線Ｃの位置が第１実施形態と異なる。この片持ち梁状ばね３６は上下方向Ｚに撓み、この片持ち梁状ばね３６の自由端部に形成された受け部１７において、上側押圧部１９には想定平面Ｍ上の受け面３０で上側支持部２８が形成されているとともに、下側押圧部２０には想定平面Ｍ上の受け面３０で下側支持部２９が形成されている。前記剃刀ヘッド１の初期状態Ｐで、左右両受け面３０は、上方から下方に向うに従い、ホルダヘッド７の前端部１３の前面１３ａに想定された基準面Ｗに対し離間するように、片持ち梁状ばね３６の軸線３６ａに対し傾斜している。すなわち、この基準面Ｗに対し前記上側支持部２８がなす距離をＡとし、この基準面Ｗに対し前記下側支持部２９がなす距離をＢとした場合、Ａ＜Ｂに設定されている。そのほか、前記剃刀ヘッド１の初期状態Ｐ（中立状態）や上向き首振り状態Ｑや下向き首振り状態Ｒは第１実施形態と同様である。
【００５４】
〔図６に示す第１，２実施形態の別例１〕
この別例１においては、第１，２実施形態と比較して、前記左右両プッシャ１１の受け面３０の形状を変更している。すなわち、この左右両プッシャ１１の受け面３０は、上側支持部２８と下側支持部２９との間にわたり凹んでいる。そのため、この左右両プッシャ１１の受け面３０と前記剃刀ヘッド１の左右両受け面３５との間には、前記初期状態Ｐで上側支持部２８，３３と下側支持部２９，３４との間にわたり間隙Ｇが生じる。
【００５５】
〔図７に示す第１，２実施形態の別例２〕
この別例２においては、第１，２実施形態と比較して、剃刀ヘッド１の凸部３２を変更している。すなわち、剃刀ヘッド１の刃台３１には左右両側で凹部３７が形成され、この左右両凹部３７に左右両プッシャ１１の受け部１７が嵌め込まれている。そのため、刃体３の刃先４の延設方向（左右方向Ｙ）に沿った両側でこの左右両凹部３７に設けられた両側部３７ａ間でこの左右両プッシャ１１の受け部１７が挟持される。
【００５６】
〔そのほかの別例〕
前述した第１，２実施形態及びその別例１，２では、前記ホルダ２に対する剃刀ヘッド１の首振り回動中心線Ｃが左右両プッシャ１１の上側支持部２８と下側支持部２９との間に位置している。この首振り回動中心線Ｃの位置は、剃刀ヘッド１が初期状態Ｐ（中立状態）から上下両向きへそれぞれ首振りする場合に適している。剃刀ヘッド１が初期状態Ｐ（中立状態）から上向きへのみ首振りする場合には、首振り回動中心線Ｃを下側支持部２９よりも下方位置（前記想定範囲Ｓを区画する下側想定直線ＳＤよりも下方位置）に設定する。剃刀ヘッド１が初期状態Ｐ（中立状態）から下向きへのみ首振りする場合には、首振り回動中心線Ｃを上側支持部２８よりも上方位置（前記想定範囲Ｓを区画する上側想定直線ＳＵよりも上方位置）に設定する。
【図面の簡単な説明】
【図１】（ａ）は第１実施形態にかかる首振り式剃刀において剃刀ヘッドの初期状態（中立状態）を示す側面図であり、（ｂ）はこの剃刀ヘッドを圧接するプッシャの先端部を示す部分斜視図である。
【図２】（ａ）は図１（ａ）に示す首振り式剃刀の剃刀ヘッド側を平面側から見た部分断面図であり、（ｂ）は同じく側面側から見た部分断面図である。
【図３】（ａ）は図２（ａ）の部分拡大図であり、（ｂ）は図２（ｂ）の部分拡大図である。
【図４】（ａ）は剃刀ヘッドの上向き首振り状態を示す図３（ｂ）相当図であり、（ｂ）は剃刀ヘッドの下向き首振り状態を示す図３（ｂ）相当図である。
【図５】（ａ）は第２実施形態にかかる首振り式剃刀において剃刀ヘッドの初期状態（中立状態）を示す部分平面図であり、（ｂ）は同じく部分側面図であり、（ｃ）は同じく側面側から見た部分断面図である。
【図６】（ａ）は第１，２実施形態の別例１にかかる首振り式剃刀において剃刀ヘッドの初期状態（中立状態）を示す図３（ｂ）相当図であり、（ｂ）は剃刀ヘッドの上向き首振り状態を示す図４（ａ）相当図であり、（ｃ）は剃刀ヘッドの下向き首振り状態を示す図４（ｂ）相当図である。
【図７】（ａ）は第１，２実施形態の別例２にかかる首振り式剃刀において剃刀ヘッドの初期状態（中立状態）を示す図３（ａ）相当図であり、（ｂ）は同じく図３（ｂ）相当図である。
【符号の説明】
１…剃刀ヘッド、２…ホルダ、３…刃体、７…ホルダヘッド、１１…プッシャ、１２…弾性体、１３ａ…ホルダヘッド前面、１６…腕部、１７…受け部、１９…上側押圧部、２０…下側押圧部、２１…上側段差部、２２…下側段差部、２３…プッシャの凹部、２４…開口部、２６…上側角部、２７…下側角部、２８…プッシャの上側支持部、２９…プッシャの下側支持部、３０…プッシャの受け面、３２…剃刀ヘッドの凸部、３３…剃刀ヘッドの上側支持部、３４…剃刀ヘッドの下側支持部、３５…剃刀ヘッドの受け面、３６…片持ち梁状ばね、３６ａ…軸線、３７…剃刀ヘッドの凹部、３７ａ…側部、Ｃ…首振り回動中心線、Ｐ…初期状態、Ｑ，Ｒ…首振り状態、Ｗ…基準面、Ｍ…プッシャの上下両側支持部間の想定平面、Ｚ…上下方向、Ｘ…前後方向（往復動方向）。
【図１】
2005000303.tif 000003
【図２】
2005000303.tif 000004
【図３】
2005000303.tif 000005
【図４】
2005000303.tif 000006
【図５】
2005000303.tif 000007
【図６】
2005000303.tif 000008
【図７】
2005000303.tif 000009